(57)【要約】【課題】  コストアップ及び装置の大型化を招くことなく複数の熱源を冷却可能な冷却装置及び冷却装置を備えた画像形成装置を提供する。【解決手段】  プリンタ内の制御部９１、電源部９２、駆動部９３、プリンタ部９５を冷却する冷却部９４は、外気を吸引して排気する冷却ファン９４１と、冷却ファン９４１の排気側に設けられ、冷却用ファン９４１の送風方向に対して傾斜して羽根９４２ｂが取り付けられた円形状のルーバー９４２と、ルーバー９４２を回転させるギア９４３ａ及びモータ９４３ｂからなる動力部９４３と、動力部９４３によってルーバー９４２の回転位置を調整可能なルーバー駆動制御部９１２とを備える。【選択図】      図４
2006154499.tif 000002
【特許請求の範囲】
【請求項１】
複数の熱源を冷却する冷却装置であって、
外気を吸引して排気する冷却用ファンと、前記冷却用ファンの排気側に設けられ、前記冷却用ファンの送風方向に対して傾斜して羽根が取り付けられた円形状のルーバーと、前記ルーバーを回転させる回転手段と、前記回転手段を制御することによって前記ルーバーの回転位置を調整する回転制御手段とを備えたことを特徴とする冷却装置。
【請求項２】
複数の熱源と、請求項１記載の冷却装置とを備えた画像形成装置であって、
本装置の動作状況に応じて、前記複数の熱源の中から前記冷却装置による冷却対象の熱源を選択する選択手段を備え、
前記回転制御手段は、前記回転手段によって前記ルーバーを回転させ、前記選択手段によって選択された冷却対象の熱源に前記羽根の傾斜方向を向けることを特徴とする画像形成装置。
【請求項３】
前記複数の熱源は、少なくとも装置各部に電源電圧の供給を行う電源部、装置各部を駆動させ、印刷処理を行なわせる駆動部、装置各部の動作を制御する制御部、及び記録紙に形成された画像を加熱して定着させる定着部であり、
前記選択手段は、電源投入時には冷却対象として前記制御部を選択し、印刷中は冷却対象として前記駆動部を選択し、印刷終了後には冷却対象として前記定着部を選択し、待機時には冷却対象として前記電源部を選択することを特徴とする請求項２記載の画像形成装置。
【請求項４】
前記各熱源の近傍に取り付けられ、各熱源の周囲温度を検出する温度検出手段と、
前記各熱源の冷却が必要な温度条件を記憶する温度条件記憶手段とをさらに備え、
前記選択手段は、
前記温度検出手段によって検出された各熱源の周囲温度が前記各熱源の温度条件に合致するか否かを判断する判断手段を備え、前記判断手段によって前記各熱源の温度条件に合致すると判断された熱源を冷却対象に選択することを特徴とする請求項２記載の画像形成装置。
【発明の詳細な説明】
【技術分野】
【０００１】
本発明は、複数の熱源を冷却する冷却装置及び当該冷却装置を備えた画像形成装置に関する。
【背景技術】
【０００２】
特許文献１に記載の画像形成装置には、用紙に形成されたトナー画像を加熱溶融して定着させる定着装置が所定温度以上になるのを防止するための冷却装置として、冷却ファン及び冷却ファンからの送風を定着装置に導くダクトが取り付けられている。
【特許文献１】特開２００３−７６２０９号公報
【発明の開示】
【発明が解決しようとする課題】
【０００３】
しかしながら、上記構成の冷却装置では、冷却ファンの風向きが一方向であるため、例えば感光体ドラムや電源部等、定着装置以外の温度の上昇する箇所を冷却するためにはそれぞれの冷却装置が必要となり、部品点数の増加によるコストアップ及び装置の大型化を招くという問題点があった。
【０００４】
本発明は、上記状況に鑑みてなされたものであり、コストアップ及び装置の大型化を招くことなく複数の熱源を冷却可能な冷却装置及び前記冷却装置を備えた画像形成装置を提供することを目的とする。
【課題を解決するための手段】
【０００５】
本発明の請求項１に係る冷却装置は、複数の熱源を冷却する冷却装置であって、外気を吸引して排気する冷却用ファンと、前記冷却用ファンの排気側に設けられ、前記冷却用ファンの送風方向に対して傾斜して羽根が取り付けられた円形状のルーバーと、前記ルーバーを回転させる回転手段と、前記回転手段を制御することによって前記ルーバーの回転位置を調整する回転制御手段とを備えたことを特徴とする。
【０００６】
上記構成によれば、回転制御手段によるルーバーの回転位置の調整によって、ルーバーの羽根の傾斜方向を３６０度変化させることが可能である。そのため、１つの冷却装置によって複数の熱源それぞれに送風することができ、コストアップ及び装置の大型化を招くことなく複数の熱源を満遍なく冷却することができる。
【０００７】
本発明の請求項２に係る画像形成装置は、複数の熱源と、請求項１記載の冷却装置とを備えた画像形成装置であって、本装置の動作状況に応じて、複数の熱源の中から前記冷却装置による冷却対象の熱源を選択する選択手段を備え、前記回転制御手段は、前記回転手段によって前記ルーバーを回転させ、前記選択手段によって選択された冷却対象の熱源に前記羽根の傾斜方向を向けることを特徴とする。
【０００８】
上記構成によれば、選択手段によって本装置の動作状況に応じて、複数の熱源の中から冷却装置による冷却対象の熱源が選択され、選択手段によって選択された熱源にルーバーの羽根の傾斜方向が向けられるように、回転制御手段によってルーバーの回転位置が調整される。これにより、本装置の動作状況に応じて、各熱源が駆動している際にその熱源の方向に送風を行い、温度が上昇している箇所を適切に冷却することができる。
【０００９】
本発明の請求項３に係る画像形成装置は、請求項２記載の画像形成装置において、前記複数の熱源は、少なくとも装置各部に電源電圧の供給を行う電源部、装置各部を駆動させ、印刷処理を行なわせる駆動部、装置各部の動作を制御する制御部、及び記録紙に形成された画像を加熱して定着させる定着部であり、前記選択手段は、電源投入時には冷却対象として前記制御部を選択し、印刷中は冷却対象として前記駆動部を選択し、印刷終了後には冷却対象として前記定着部を選択し、待機時には冷却対象として前記電源部を選択することを特徴とする。
【００１０】
上記構成によれば、選択手段によって、電源投入時には冷却対象として制御部が選択され、印刷中は冷却対象として駆動部が選択され、印刷終了後に冷却対象として定着部が選択され、待機時には冷却対象として電源部が選択される。これにより、電源部、駆動部、制御部、定着部各部が動作するタイミングに合わせてその方向に送風を行い、温度が上昇している箇所を適切に冷却することができる。
【００１１】
本発明の請求項４に係る画像形成装置は、請求項２記載の画像形成装置において、前記各熱源の近傍に取り付けられ、各熱源の周囲温度を検出する温度検出手段と、前記各熱源の冷却が必要な温度条件データを記憶する温度条件記憶手段とをさらに備え、前記選択手段は、前記温度検出手段によって検出された各熱源の周囲温度が前記各熱源の温度条件に合致するか否かを判断する判断手段を備え、前記判断手段によって前記各熱源の温度条件に合致すると判断された熱源を冷却対象に選択することを特徴とする。
【００１２】
上記構成によれば、判断手段によって温度検出手段により検出された各熱源の周囲温度が各熱源の温度条件に合致するか否かが判断され、各熱源の温度条件に合致すると判断された熱源が選択手段によって冷却対象に選択される。これにより、各熱源に用いられるデバイスの特性等によって冷却が必要な温度条件が異なる場合であっても、各熱源毎に設定された温度条件に合致する冷却が必要な熱源のみを冷却することができ、より効率的な温度制御を行うことができる。
【発明の効果】
【００１３】
本発明の請求項１に係る冷却装置によれば、１つの冷却装置によって複数の熱源それぞれを冷却することが可能であり、コストの低減及び装置の小型化を図ることができる。
【００１４】
本発明の請求項２に係る画像形成装置によれば、本装置の動作状況に応じて、各熱源が駆動している際にその熱源の方向に送風することができ、温度が上昇している箇所を適切に冷却することができる。
【００１５】
本発明の請求項３に係る画像形成装置によれば、電源部、駆動部、制御部、及び定着部各部が動作するタイミングに合わせてその方向に送風を行い、温度が上昇している箇所を適切に冷却することができる。
【００１６】
本発明の請求項４に係る画像形成装置によれば、各熱源毎に設定された温度条件に合致する冷却が必要な熱源のみを冷却することができ、より効率的な温度制御を行うことができる。
【発明を実施するための最良の形態】
【００１７】
（第１の実施形態）
以下、図面を参照しつつ第１の実施形態による画像形成装置について説明する。図１は、第１の実施形態による画像形成装置の内部構成を概略的に示した図である。本画像形成装置は、タンデム型のカラープリンタであり、給紙部１０と、給紙部１０の上側に配設された転写搬送部２０と、転写搬送部２０の上部に配設された画像形成部３０と、転写搬送部２０の左側に配設された定着部４０と、定着部４０によって定着処理が行なわれた記録紙Ｐを排出トレイ８０に導く搬送路５０とを備えている。
【００１８】
給紙部１０は、記録紙Ｐが堆積された給紙カセット１１と、給紙カセット１１に堆積された記録紙Ｐを１枚ずつピックアップし、搬送路１３側に排出する給紙ローラ１２と、記録紙Ｐを搬送路１３に沿って転写搬送部２０に搬送する搬送ローラ対１４，１５，１６とを備える。画像形成部３０は、それぞれ、ブラック（Ｋ）、イエロー（Ｙ）、マゼンタ（Ｍ）、及びシアン（Ｃ）のトナー像を形成する画像形成部３０Ｋ，３０Ｙ，３０Ｍ，及び３０Ｃを備えている。画像形成部３０Ｋ〜３０Ｃは同一構成であるため、画像形成部３０Ｋのみ説明する。
【００１９】
画像形成部３０Ｋは、感光体ドラム３１、帯電部３２、露光部３３、現像部３４、及びクリーナ部３５を備えている。感光体ドラム３１は、円筒状の部材であり、図略のモータからの駆動力を受け、時計回りの方向（図示のＡ方向）に回転する。露光部３３は、発光ダイオード又はレーザダイオード等の光源を備え、帯電部３２によって帯電された感光体ドラム３１に対して、画像データに応じた光信号を照射し、画像データの静電潜像を形成する。現像部３４は、Ｋのトナーを収納するトナーボックス３４１を備え、静電潜像が形成された感光体ドラム３１に、Ｋのトナーを供給してＫのトナー像を形成する。感光体ドラム３１に形成されたＫのトナー像は、転写ローラ２２によって、記録紙Ｐに転写される。クリーナ部３５は、Ｋのトナー像が転写された感光体ドラム３１の表面に付着したトナーを除去する。
【００２０】
転写搬送部２０は、転写ベルト２１、転写ローラ２２、右ローラ２３、及び左ローラ２４を備えている。右ローラ２３は画像形成部３０Ｋの下部に配設され、左ローラ２４は画像形成部３０Ｃの下部に配設されている。転写ベルト２１は、右ローラ２３と左ローラ２４との間に架け渡された無端ベルトであり、右及び左ローラ２３，２４によって、半時計周りの方向（Ｂ方向）に一定の速度で回転される。転写ベルト２１は、ポリイミド樹脂等の耐熱性を有する樹脂材料により構成されている。転写ベルト２１の内周側であって、４個の感光体ドラム３１と対向する位置には、４個の転写ローラ２２が配設されている。転写ローラ２２は、導電性を有するゴム材料等で構成され、感光体ドラム３１に形成された各色のトナー像を記録紙Ｐに転写させる。
【００２１】
定着部４０は、熱遮蔽ボックス４１、ヒータを内蔵する定着ローラ４２、及び加圧ローラ４３を備え、トナー像が形成された記録紙Ｐを加熱搬送することにより、記録紙Ｐにトナー像を定着させる。
【００２２】
また、プリンタは、制御部９１と、電源部９２と、駆動部９３と、冷却部９４とを備える。電源部９２は、プリンタの所定位置に取り付けられた図略の電源スイッチのオン、オフを検知して、装置各部へ電源電圧の供給又は停止を行なうものである。駆動部９３は、モータ駆動回路等が配設された駆動用制御基板を備え、感光体ドラム４、帯電部５、露光部６、冷却部９４等の駆動用モータを駆動させるものである。制御部９１は、ＡＳＩＣ（Application Specific IC）、ＣＰＵ（Central Processing Unit）、プログラムデータが記録されているＲＯＭ（Read  Only  Memory）、ＣＰＵの作業領域として用いられるＲＡＭ（Random Access Memory）等が配設された制御基板であり、ＣＰＵは、ＲＯＭに記録されるプログラムデータに基づき、装置各部の駆動指示を駆動部９３に出力するものである。冷却部９４は、装置本体の後側面近傍に取り付けられ、電源部９２、駆動部９３、制御部９１、定着部４０の温度を冷却するものである。
【００２３】
図２は冷却部９４の斜視構成図である。冷却部９４は、装置本体後側面に設けられた図略の吸気口から外気を吸入し、装置内部へ排気を行う冷却ファン９４１と、冷却ファン９４１の排気側に配置され、冷却ファン９４１の風向きを変えるルーバー９４２と、ルーバー９４２を回転させるギア９４３ａ及びモータ９４３ｂからなる動力部９４３とを備える。
【００２４】
ルーバー９４２は、側面がギア状にされた円形状の外枠９４２ａと、外枠９４２ａの内側に冷却ファン９４１の送風方向に対し傾斜して取り付けられた羽根９４２ｂとを備える。ルーバー９４２はギア９４３ａを介してモータ９４３ｂに連結され、モータ９４３ｂの回転に連動してギア９４３ａ及びルーバー９４２が回転する。このルーバー９４２の回転によって羽根９４２ｂの傾斜方向が変化し、冷却ファン９４１の風向きが変化する。なお、ここでは、冷却ファン９４１専用の駆動モータ９４３ｂを設けているが、例えば感光体ドラム３１、定着部４０等その他の駆動系を駆動させるメイン駆動モータにクラッチを介してルーバー９４２を接続し、ルーバー回転用の動力として用いてもよい。
【００２５】
図３は冷却部９４の動作説明図であって、（ａ）は制御部９１を冷却する際のルーバー９４２の回転位置、（ｂ）は電源部９２を冷却する際のルーバー９４２の回転位置、（ｃ）は駆動部９３を冷却する際のルーバー９４２の回転位置、（ｄ）は定着部４０を冷却する際のルーバー９４２の回転位置を示す図である。例えば、制御部９１を冷却する際は、図３（ａ）に示すように、ルーバー９４２の羽根９４２ｂの傾斜方向が制御部９１になるように動力部９４３によってルーバー９４２の回転位置が制御され、電源部９２を冷却する際は、図３（ｂ）に示すように、ルーバー９４２の羽根９４２ｂの傾斜方向が電源部９２になるように動力部９４３によってルーバー９４２の回転位置が制御され、駆動部９３を冷却する際は、図３（ｃ）に示すように、ルーバー９４２の羽根９４２ｂの傾斜方向が駆動部９３になるように動力部９４３によってルーバー９４２の回転位置が制御され、定着部４０を冷却する際は、図３（ｄ）に示すように、ルーバー９４２の羽根９４２ｂの傾斜方向が定着部４０になるように動力部９４３によってルーバー９４２の回転位置が制御される。
【００２６】
図４はプリンタの電気的構成を示すブロック図である。プリンタ部９５は、図１に示す給紙部１０、転写搬送部２０、画像形成部３０、及び定着部４０を備える。制御部９１は、駆動部９３を介してプリンタ部９５及び冷却部９４に接続され、各部の動作を制御する。制御部９１は、ファン駆動制御部９１１、ルーバー駆動制御部９１２、及び冷却対象選択部９１３を備える。ファン駆動制御部９１１は、冷却ファン９４１の回転駆動及びその停止を制御するものである。具体的に、ファン駆動制御部９１１から冷却ファン９４１を駆動させる駆動信号が駆動部９３に出力されると、駆動部９３から冷却ファン９４１用の駆動モータ（図示省略）へ電力が供給され、冷却ファン９４１の回転が開始し、ファン駆動制御部９１１から冷却ファン９４１の駆動を停止する駆動停止信号が駆動部９３に出力されると、駆動部９３から冷却ファン９４１用の駆動モータへの電力供給が停止され、冷却ファン９４１の回転が停止する。
【００２７】
ルーバー駆動制御部９１２は、ルーバー９４２の回転駆動及びその停止を制御するものである。具体的に、ファン駆動制御部９１１から冷却ファン９４１を駆動させる駆動信号が駆動部９３に出力されると、駆動部９３からルーバー９４２用の駆動モータ（図示省略）へ電力が供給され、ルーバー９４２の回転が開始し、ファン駆動制御部９１１からルーバー９４２の駆動を停止する駆動停止信号が駆動部９３に出力されると、駆動部９３からルーバー９４２用の駆動モータ（図示省略）への電力供給が停止され、ルーバー９４２の回転が停止する。
【００２８】
冷却対象選択部９１３は、本装置の動作状況に応じて冷却対象を選択するものであり、例えば電源投入時には、制御部９１によって装置各部の初期化等の処理が行なわれ、ASICやCPU等のデバイスの温度上昇が予想されるため、冷却対象として制御部９１を選択する。冷却対象選択部９１３は、印刷処理が開始し、感交体ドラム３１、露光部３３等を備えた画像形成部３０によって印刷処理が行われている間は、駆動部９３の温度が上昇すると予想されるため、冷却対象として駆動部９３を選択する。さらに、冷却対象選択部９１３は、印刷処理が終了すると、加熱された定着部４０を冷却するために冷却対象として定着部４０を選択し、印刷処理が終了し所定期間経過後に、待機モードに移行すると、冷却対象として電源部９２を選択する。
【００２９】
ルーバー駆動制御部９１２は、冷却対象選択部９１３によって冷却対象として選択された箇所に冷却ファン９４１の送風が行なわれるようにルーバー９４２の回転位置を制御する。ルーバー駆動制御部９１２は、例えば冷却対象として制御部９１が選択された場合は、ルーバー９４２の羽根９４２ｂの傾斜方向が制御部９１に向くように駆動部９３を介してルーバー９４２を回転させ、冷却対象として駆動部９３が選択された場合は、ルーバー９４２の羽根９４２ｂの傾斜方向が駆動部９３に向くように駆動部９３を介してルーバー９４２を回転させる。また、ルーバー駆動制御部９１２は、冷却対象として定着部４０が選択された場合は、ルーバー９４２の羽根９４２ｂの傾斜方向が定着部４０に向くように駆動部９３を介してルーバー９４２を回転させ、冷却対象として電源部９２が選択された場合は、ルーバー９４２の羽根９４２ｂの傾斜方向が電源部９２に向くように駆動部９３を介してルーバー９４２を回転させる。
【００３０】
図５は冷却部９４の風向きを制御するための制御部９１による処理を説明するためのフローチャートである。冷却対象選択部９１３によって電源投入の有無が判断され（ステップＳ１０１）、電源投入されたことが検知された場合、冷却対象として制御部９１が選択される（ステップＳ１０３）。ファン駆動制御部９１１によって冷却ファン９４１の駆動が開始され（ステップＳ１０５）、ルーバー駆動制御部９１２によってルーバー９４２の羽根９４２ｂの傾斜方向が制御部９１に向けられるようにルーバー９４２の回転制御が行なわれ、冷却ファン９４１から制御部９１への送風が行なわれる（ステップＳ１０７）。これにより、電源投入によって制御部９１による装置各部の初期化が行なわれている間、制御部９１が冷却される。
【００３１】
次に、冷却対象選択部９１３によって、電源投入後に所定期間が経過し、待機状態に移行したか、又はプリンタにＬＡＮ等のネットワークを介して接続されるホストコンピュータから印刷開始指示が入力され、印刷処理が開始し、印刷状態に移行したかが判断される（ステップＳ１０９）。その結果、ステップＳ１０９において待機状態に移行した場合、冷却対象選択部９１３によって冷却対象として電源部９２が選択され（ステップＳ１１１）、ルーバー駆動制御部９１２によってルーバー９４２の羽根９４２ｂの傾斜方向が電源部９２に向けられるようにルーバー９４２の回転制御が行なわれ、冷却ファン９４１の送風方向が制御部９１から電源部９２へ切り替わる（ステップＳ１１３）。そして、待機状態の間、ステップＳ１０９乃至ステップＳ１１３を繰り返し、電源部９２の冷却が行なわれる。
【００３２】
一方、ステップＳ１０９において印刷状態に移行した場合、冷却対象選択部９１３によって冷却対象として駆動部９３が選択され（ステップＳ１１５）、ルーバー駆動制御部９１２によってルーバー９４２の羽根９４２ｂの傾斜方向が駆動部９３に向けられるようにルーバー９４２の回転制御が行なわれ、冷却ファン９４１の送風方向が電源部９２から駆動部９３へ切り替わる（ステップＳ１１７）。さらに、冷却対象選択部９１３によって印刷処理が終了したか否かが判断され（ステップＳ１１９）、印刷処理が終了した場合、冷却対象選択部９１３によって冷却対象として定着部４０が選択され（ステップＳ１２１）、ルーバー駆動制御部９１２によってルーバー９４２の羽根９４２ｂの傾斜方向が定着部４０に向けられるようにルーバー９４２の回転制御が行なわれ、冷却ファン９４１の送風方向が駆動部９３から定着部４０へ切り替わる（ステップＳ１２３）。そして、冷却対象選択部９１３によって、所定期間が経過したか否かが判断され（ステップＳ１２５）、所定期間が経過するまでは冷却ファン９４１の送風方向は定着部４０で維持され、所定期間の経過後はステップＳ１０９に戻り、待機状態又は印刷状態への移行によって、冷却ファン９４１の送風方向が電源部９２又は駆動部９３に切り替わる。
【００３３】
このように本実施形態では、ルーバー９４２を回転させることによって冷却ファン９４１の風向きを３６０度変化させることができるため、１つの冷却部９４によって制御部９１、電源部９２、駆動部９３、定着部４０各部を満遍なく冷却することができ、コストの低減及び装置の小型化を実現することができる。また、装置の動作状況に応じて、例えば、電源投入後、制御部９１によって初期化処理が行なわれ、制御部９１の温度が上昇する期間は、冷却ファン９４１の送風方向を制御部９１に向け、駆動部９３の温度が上昇する印刷処理中は、冷却ファン９４１の送風方向を駆動部９３に向け、印刷処理終了後、冷却ファン９４１の送風方向を定着処理によって加熱された定着部４０に向け、さらに、制御部９１、駆動部９３、定着部４０の駆動が比較的行なわれない待機状態の間は、冷却ファン９４１の送風方向を電源部９２に向けることができ、装置の動作状況に応じて温度が上昇している箇所を適切に冷却することができる。
【００３４】
（第２の実施形態）
次に、本発明の第２の実施形態による画像形成装置について図面を参照しながら説明する。図６は、本発明の第２の実施形態による画像形成装置の電気的構成を示すブロック図である。図において、図４と同一符号は同一または相当部分であり、その説明を省略する。
【００３５】
温度条件記憶部９１６は、制御部９１、電源部９２、駆動部９３、定着部４０各部の冷却が必要な温度条件データを記憶する。図８は温度条件記憶部９１６に記憶される温度条件データの一例を示す図である。制御部９１、駆動部９３、電源部９２、定着部４０は、それぞれ各部に設けられたデバイスによって冷却が必要な温度条件は異なり、例えば、制御部９１の冷却条件は周囲温度３０℃以上、電源部９２の冷却条件は周囲温度４０℃以上、駆動部９３の冷却条件は周囲温度５０℃以上、定着部４０の冷却条件は周囲温度４０℃以上である。
【００３６】
図６に戻り、制御部９１、電源部９２、駆動部９３、定着部４０の近傍又は内部に、それぞれの周囲温度を検出する温度センサ９１７、９２１、９３１、４０１が設けられている。冷却対象選択部９１４は、温度センサ９１７、９２１、９３１、４０１によって検出された制御部９１、電源部９２、駆動部９３、定着部４０各部の周囲温度を検出し、各部が温度条件記憶部９１６に記憶される各部の温度条件データを満たすか否かの判断を行なう判断部９１５を備え、判断部９１５によって温度条件データを満たすと判断された箇所を冷却対象として選択する。
【００３７】
ルーバー駆動制御部９１２は、冷却対象選択部９１４によって冷却対象として選択された箇所にルーバー９４２の羽根９４２ｂの傾斜方向を向けるために、ルーバー９４２を回転させる。制御部９１、電源部９２、駆動部９３、定着部４０のうち複数箇所で温度条件データの設定温度を超えた場合、ルーバー９４２の羽根９４２ｂの傾斜方向をそれらの箇所に交互に向けるようにルーバー９４２を回転させる。これにより、複数箇所がそれぞれの設定温度以上になった場合でも１つの冷却ファン９４１で交互に複数箇所を冷却することができる。
【００３８】
図７は冷却部９４の風向きを制御するための制御部９１による処理を説明するためのフローチャートである。冷却対象選択部９１４によって温度センサ９１７によって検出された制御部９１の周囲温度が３０℃以上であるか否かが判断され（ステップＳ２０１）、制御部９１の周囲温度が３０℃以上である場合（ステップＳ２０１でＹｅｓ）、制御部９１が冷却対象に選択され（ステップＳ２０３）、制御部９１の周囲温度が３０℃未満である場合（ステップＳ２０１でＮｏ）、ステップＳ２０５に進む。また、冷却対象選択部９１４によって温度センサ９２１によって検出された電源部９２の周囲温度が４０℃以上であるか否かが判断され（ステップＳ２０５）、電源部９２の周囲温度が４０℃以上である場合（ステップＳ２０５でＹｅｓ）、電源部９２が冷却対象に選択され（ステップＳ２０７）、電源部９２が４０℃未満である場合（ステップＳ２０５でＮｏ）、ステップＳ２０９に進む。
【００３９】
ステップＳ２０９において、冷却対象選択部９１４によって温度センサ９３１によって検出された駆動部９３の周囲温度が５０℃以上であるか否かが判断され、駆動部９３の周囲温度が５０℃以上である場合（ステップＳ２０９でＹｅｓ）、駆動部９３が冷却対象に選択され（ステップＳ２１１）、駆動部９３が５０℃未満である場合（ステップＳ２０９でＮｏ）、ステップＳ２１３に進む。ステップＳ２１３において、冷却対象選択部９１４によって温度センサ４０１によって検出された定着部４０の周囲温度が４０℃以上であるか否かが判断され、定着部４０の周囲温度が４０℃以上である場合（ステップＳ２１３でＹｅｓ）、定着部４０が冷却対象に選択され（ステップＳ２１５）、定着部４０が４０℃未満である場合（ステップＳ２１３でＮｏ）、ステップＳ２１７に進む。
【００４０】
次いで、ファン駆動制御部９１１によって冷却ファン９４１の駆動が開始され（ステップＳ２１７）、冷却対象選択部９１４によって冷却対象に選択された箇所にルーバー９４２の羽根９４２ｂの傾斜方向が向くように、ルーバー駆動制御部９１２によってルーバー９４２が回転される（ステップＳ２１９）。また、冷却対象が複数箇所ある場合、例えば制御部９１の周囲温度が３０℃以上であり、駆動部９３の周囲温度が５０℃以上である場合、ルーバー９４２の羽根９４２ｂの傾斜方向が制御部９１及び駆動部９３に交互に向くようにルーバー駆動制御部９１２によってルーバー９４２の回転制御が行なわれる。これにより、冷却ファン９４１の送風によって制御部９１及び駆動部９３が交互に冷却される。
【００４１】
このように本実施形態では、制御部９１、電源部９２、駆動部９３、定着部４０各部の周囲温度が各部のデバイスや特性に応じて設定された設定温度以上になると、その個所に風が向くようにルーバー９４２を回転させるので、冷却が必要な箇所を効果的に冷却することができる。また、連続印刷時や、長時間の待機時間によって複数個所で所定温度を超えた場合、それらの箇所に満遍なく風が当たるようにルーバー９４２の回転を繰り返し、それぞれを交互に冷却することによって効率的な温度制御を行なうことができる。
【図面の簡単な説明】
【００４２】
【図１】本発明の第１の実施形態によるプリンタの内部構成を概略的に示した図である。
【図２】図１に示す冷却部の斜視構成図である。
【図３】図１に示す冷却部の動作説明図であって、（ａ）は制御部を冷却する際のルーバーの回転位置、（ｂ）は電源部を冷却する際のルーバーの回転位置、（ｃ）は駆動部を冷却する際のルーバーの回転位置、定着部を冷却する際のルーバーの回転位置を示す図である。
【図４】本発明の第１の実施形態によるプリンタなの電気的構成を示すブロック図である。
【図５】本発明の第１の実施形態において、冷却部の風向きを制御するための制御部による処理を説明するためのフローチャートである。
【図６】本発明の第２の実施形態によるプリンタの電気的構成を示すブロック図である。
【図７】本発明の第２の実施形態において、冷却部の風向きを制御するための制御部による処理を説明するためのフローチャートである。
【図８】温度条件記憶部に記憶される温度条件データの一例を示す図である。
【符号の説明】
【００４３】
９１  制御部
９１１  ファン駆動制御部
９１２  ルーバー駆動制御部
９１３、９１４  冷却対象選択部
９１５  判断部
９１６  温度条件記憶部
９１７  温度センサ
９２  電源部
９２１  温度センサ
９３  駆動部
９３１  温度センサ
９４  冷却部
９４１冷却ファン
９４２  ルーバー
９４２ａ  外枠
９４２ｂ  羽根
９４３  動力部
９４３ａ  ギア
９４３ｂ  モータ
９５  プリンタ部
１０  給紙部
２０  転写搬送部
３０  画像形成部
４０  定着部
４０１  温度センサ
【図１】
2006154499.tif 000003
【図２】
2006154499.tif 000004
【図３】
2006154499.tif 000005
【図４】
2006154499.tif 000006
【図５】
2006154499.tif 000007
【図６】
2006154499.tif 000008
【図７】
2006154499.tif 000009
【図８】
2006154499.tif 000010